(57)【要約】【課題】鉄道保安システム用の地上子において、送信用データおよび照合用データが一致しない場合にも、停止現示に対応する送信信号が送出されるようにする。【解決手段】照査回路２４は、各現示につき対応する送信用データと照合用データとを比較し、全ての現示について送信用データと照合用データとが一致したときに正常照査信号を出力する。切替回路２６は、進行現示または注意現示に対応する送信用データの出力に際しては、正常照査信号が出力されたときにのみ対応する出力線３４，４０を閉じ、停止現示に対応する送信用データの出力に際しては、正常照査信号の出力の有無に拘わらず対応する出力線４４を閉じる。変調回路５０は、切替回路２６より出力された送信用データを変調して送信用データに対応する送信信号を生成する。【選択図】　　　　図１
2004082818.tif 000002
【特許請求の範囲】
【請求項１】
信号機の進行現示、注意現示および停止現示のいずれかに対応する送信信号を車上に向けて送出する地上子であって、
各現示につき対応する送信用データと照合用データとを比較し、全ての現示について送信用データと照合用データとが一致したときに正常照査信号を出力する照査回路と、
前記正常照査信号と所定の出力指令とに基づいて各現示に対応する送信用データの出力線のうちいずれか一つを閉じることにより、一つの送信用データを選択的に出力する切替回路と、
前記切替回路より出力された送信用データを変調して該送信用データに対応する送信信号を生成する変調回路と、
を備え、
前記切替回路は、進行現示または注意現示に対応する送信用データの出力に際しては、正常照査信号が出力されたときにのみ対応する出力線を閉じ、停止現示に対応する送信用データの出力に際しては、正常照査信号の出力の有無に拘わらず対応する出力線を閉じることを特徴とする地上子。
【請求項２】
進行現示または注意現示に対応する送信信号の出力指令により前記照査回路に電源電力を供給し、かつ進行現示または注意現示に対応する送信信号の出力指令が無いときは前記照査回路に電源電力を供給しない電源回路を、さらに備えることを特徴とする請求項１に記載の地上子。
【請求項３】
前記切替回路は、
進行現示または注意現示に対応する送信信号の出力指令により、進行現示または注意現示に対応する出力線の接点を閉じかつ停止現示に対応する出力線の接点を開き、進行現示または注意現示に対応する送信信号の出力指令が無いときは、進行現示または注意現示に対応する出力線の接点を開きかつ停止現示に対応する送信信号の出力線の接点を閉じる現示リレーと、
前記照査回路の正常照査信号により進行現示または注意現示に対応する出力線の接点を閉じ、かつ正常照査信号が出力されないときは進行現示または注意現示に対応する出力線の接点を開く正常照査リレーと、
を備えることを特徴とする請求項２に記載の地上子。
【発明の詳細な説明】
【０００１】
【発明の属する技術分野】
本発明は、鉄道保安システムで用いられる地上子、特に、ＡＴＳ−Ｐ（Ｎ）型の地上子に関する。
【０００２】
【従来の技術】
従来のＡＴＳ−Ｐ型の地上子として、例えば特開２００１−１９９３３５に示されるものが既に知られている。ここで、図３を参照して、上記公報に開示される地上子の構成および動作について説明する。
【０００３】
図３の地上子７０では、列車の車上子（図示せず）から送信された電力波が、受信コイル１２によって受信される。電源回路６２は受信された信号（受信信号）の電力に基づいて地上子７０の各構成の電源電力を生成する。
【０００４】
電文ＲＯＭ２２には送信用データが、また電文ＲＯＭ２０には照合用データが格納されている。送信用データおよび照合用データは、それぞれ信号機の三種類の現示に対応しており、進行現示に対応するデータ（Ｇデータ）、注意現示に対応するデータ（Ｙデータ）、および停止現示に対応するデータ（Ｒデータ）を含む。
【０００５】
照査回路２４は、同じ現示に対応する送信用データと照合用データとを比較し、全ての現示について送信用データと照合用データとが一致したときのみ、正常照査信号を出力する。
【０００６】
切替回路７２は、出力指令（外部入力）に基づいて、三種類の送信用データのうちの一つを選択して変調回路８０に入力する。具体的には、切替回路７２は、進行現示に対応する送信信号の出力指令によりＯＮ状態となる進行現示リレー２８と、注意現示に対応する送信信号の出力指令によりＯＮ状態となる注意現示リレー３０と、を有しており、Ｇデータの出力線７４は進行現示リレー２８のＯＮ接点３６を介して、Ｙデータの出力線７６は注意現示リレー３０のＯＮ接点４２を介して、またＲデータの出力線７８は進行現示リレー２８のＯＦＦ接点４６および注意現示リレー３０のＯＦＦ接点４８を介して変調回路８０に接続されている。このため、進行現示の出力指令に対しては出力線７４が閉じられてＧデータが変調回路８０に入力され、注意現示の出力指令に対しては出力線７６が閉じられてＹデータが変調回路８０に入力され、また進行現示または注意現示についての出力指令が無いときには出力線７８が閉じられてＲデータが変調回路８０に入力される。
【０００７】
変調回路８０は、入力された送信用データを、対応する周波数の信号に変調して、送信信号を生成する。送信コイル５２は生成された送信信号を電力波として車上子に向けて送出する。
【０００８】
ただし、この地上子７０では、変調回路８０は、上記送信信号の生成を、正常照査信号が出力されたときにのみ行う。このため、正常照査信号によって地上子７０の故障発生を検知することができるとともに、故障発生時において誤った信号が車上子に送出されるのを防止することができる。
【０００９】
【発明が解決しようとする課題】
しかしながら、上記従来の地上子では、全ての現示について送信用データと照合用データとが一致するときにのみ送信信号が送出されるため、進行現示または注意現示に対応する送信信号の出力指令が出されないとき（すなわち停止現示に対応する送信信号の出力指令時）に、ＧデータあるいはＹデータのいずれか一方について送信用データと照合用データとが一致しないと、Ｒデータは正常であるにも拘わらず、停止現示を示すための送信信号が送出されないという問題があった。
【００１０】
【課題を解決するための手段】
本発明にかかる地上子は、信号機の進行現示、注意現示および停止現示のいずれかに対応する送信信号を車上に向けて送出する地上子であって、各現示につき対応する送信用データと照合用データとを比較し、全ての現示について送信用データと照合用データとが一致したときに正常照査信号を出力する照査回路と、上記正常照査信号と所定の出力指令とに基づいて各現示に対応する送信用データの出力線のうちいずれか一つを閉じることにより、一つの送信用データを選択的に出力する切替回路と、上記切替回路より出力された送信用データを変調して該送信用データに対応する送信信号を生成する変調回路と、を備え、上記切替回路は、進行現示または注意現示に対応する送信用データの出力に際しては、正常照査信号が出力されたときにのみ対応する出力線を閉じ、停止現示に対応する送信用データの出力に際しては、正常照査信号の出力の有無に拘わらず対応する出力線を閉じる。このような構成により、送信用データと照合用データとが一致しない状態でも、停止現示の送信信号を送出することができる。
【００１１】
また本発明にかかる地上子は、好適には、進行現示または注意現示に対応する送信信号の出力指令により上記照査回路に電源電力を供給し、かつ進行現示または注意現示に対応する送信信号の出力指令が無いときは上記照査回路に電源電力を供給しない電源回路を、さらに備える。こうすれば、照査回路の消費電力を抑制することができる。
【００１２】
また本発明にかかる地上子では、上記切替回路は、進行現示または注意現示に対応する送信信号の出力指令により、進行現示または注意現示に対応する出力線の接点を閉じかつ停止現示に対応する出力線の接点を開き、進行現示または注意現示に対応する送信信号の出力指令が無いときは、進行現示または注意現示に対応する出力線の接点を開きかつ停止現示に対応する送信信号の出力線の接点を閉じる現示リレーと、上記照査回路の正常照査信号により進行現示または注意現示に対応する出力線の接点を閉じ、かつ正常照査信号が出力されないときは進行現示または注意現示に対応する出力線の接点を開く正常照査リレーと、を備えるのが好適である。このように上記切替回路をリレー（機械式リレー）を用いて構成することで、より信頼性の高い地上子を得ることができる。
【００１３】
【発明の実施の形態】
まず、本発明の第一の実施形態にかかる地上子１０について図面を参照して説明する。図１は、本実施形態にかかる地上子１０の概略構成図である。
【００１４】
本実施形態にかかる地上子１０においても、列車の車上子（図示せず）から送信された電力波が、受信コイル１２によって受信される。電源回路１４は受信された信号（受信信号）の電力に基づいて地上子１０の各構成の電源電力を生成する。ただし、本実施形態では、照査回路２４の電源電力は、後述する別の電源回路（絶縁型電源１８）によって供給される。
【００１５】
また本実施形態でも、従来と同じく、送信用データは電文ＲＯＭ２２に、また照合用データは電文ＲＯＭ２０に、それぞれ格納されている。送信用データおよび照合用データも、従来と同様、それぞれ、進行現示に対応するデータ（Ｇデータ）、注意現示に対応するデータ（Ｙデータ）、および停止現示に対応するデータ（Ｒデータ）を含む。
【００１６】
照査回路２４は、同じ現示に対応する送信用データと照合用データとを比較し、全ての現示について送信用データと照合用データとが一致したときのみ、正常照査信号を出力する。ただし、本実施形態では、照査回路２４の電源電力は、上述したように、絶縁型電源（例えばＤＣ／ＤＣコンバータ）１６，１８によって、進行現示あるいは注意現示の出力を指示する出力指令が取得されたときにのみ供給される。具体的には、例えば、絶縁型電源１６，１８は、進行現示あるいは注意現示の出力指令としての外部入力信号の電流・電圧を、照査回路２４の動作する電流・電圧に変換する。かかる構成では、当該出力指令が無いときには照査回路２４が動作しないこととなり、その分、照査回路２４の消費電力ひいては地上子１０の消費電力を低減することができる。なお、停止現示に対応する送信用データ（Ｒデータ）が正しいか否かの判定は、照査回路２４の動作時、すなわち進行現示あるいは注意現示の出力指令を取得したときに行われる。つまり、進行現示あるいは注意現示の出力指令がなされたときに照査回路２４から正常照査信号が出力されたか否かを確認できるように構成すれば、送信用データおよび照合用データの正常／異常を確認することができる。
【００１７】
切替回路２６は、出力指令（外部入力）に基づいて、三種類の送信用データのうちの一つを選択して変調回路５０に入力する。具体的には、切替回路２６は、進行現示に対応する送信信号の出力指令によりＯＮ状態となる進行現示リレー２８と、注意現示に対応する送信信号の出力指令によりＯＮ状態となる注意現示リレー３０と、前記照査回路２４の出力した正常照査信号によりＯＮ状態となる正常照査リレー３２と、を有する。そして、Ｇデータの出力線３４は進行現示リレー２８のＯＮ接点３６および正常照査リレー３２のＯＮ接点３８を介して、またＹデータの出力線４０は注意現示リレー３０のＯＮ接点４２および正常照査リレー３２のＯＮ接点３８を介して変調回路５０に接続される。またＲデータの出力線４４は進行現示リレー２８のＯＦＦ接点４６および注意現示リレー３０のＯＦＦ接点４８を介して変調回路５０に接続されている。
【００１８】
かかる構成により、進行現示の出力指令に対しては、正常照査信号が出力されているときにのみ出力線３４が閉じられてＧデータが変調回路５０に入力され、注意現示の出力指令に対しては、正常照査信号が出力されているときにのみ出力線４０が閉じられてＹデータが変調回路５０に入力され、また進行現示または注意現示についての出力指令が無いとき（すなわち停止現示指令時）には、正常照査信号の出力の有無によらず（本実施形態ではこのとき正常照査信号は出力されない）、出力線４４が閉じられてＲデータが変調回路５０に入力される。
【００１９】
そして変調回路５０は、入力された送信用データを、対応する周波数の信号に変調して、送信信号を生成する。送信コイル５２は生成された送信信号を電力波として車上子に向けて送出する。
【００２０】
つまり、本実施形態の地上子１０では、進行現示および注意現示に対応する送信信号の出力指令が行われないとき、すなわち停止現示の出力指令時には、ＧデータあるいはＹデータに異常が生じていたとしても、Ｒデータが正常である限り、変調回路５０にはＲデータが入力され、停止現示に対応する送信信号が送出されることになる。
【００２１】
次に、本発明の第二の実施形態にかかる地上子６０について図面を参照して説明する。図２は、本実施形態にかかる地上子６０の概略構成図である。
【００２２】
本実施形態にかかる地上子６０は、照査回路２４の電源電力が電源回路６２によって供給される点が、上記第一の実施形態にかかる地上子１０と異なる。すなわち、本実施形態では、進行現示および注意現示についての出力指令は、単に進行現示リレー２８および注意現示リレー３０への入力信号として用いられる。それ以外の構成は上記第一の実施形態にかかる地上子１０と同様である。このため、同様の機能を有する構成要素については上記第一の実施形態と同じ符号を付すとともに、重複する説明を省略する。
【００２３】
本実施形態にかかる地上子６０においても、進行現示および注意現示に対応する送信信号の出力指令が行われないとき、すなわち停止現示の出力指令時には、ＧデータあるいはＹデータに異常が生じていたとしても、Ｒデータが正常である限り、変調回路５０にはＲデータが入力され、停止現示に対応する送信信号が送出されることになる。
【００２４】
以上、本発明の好適な実施形態について説明したが、本発明は上記実施形態には限定されず、等価な範囲内で種々の変形が可能である。例えば、上記第一の実施形態では、照査回路の電源回路として、出力指令となる信号の電流・電圧を照査回路の動作する電流・電圧に変換する絶縁型電源を設けたが、これに替えて、地上子の電源回路（図１では１４）からの電源電力の供給／停止を出力指令に基づいて切り替えるリレーを設けてもよい。このような構成としても、進行現示あるいは注意現示に対応する送信信号の出力指令が行われないときには、照査回路には電源が供給されないから、その分消費電力を低減することができる。また、切替回路についても上述した実施形態には限定されない。
【００２５】
【発明の効果】
以上、説明したように、本発明にかかる地上子では、進行現示または注意現示に対応する送信信号の出力指令が出されないとき（すなわち停止現示に対応する送信信号の出力指令時）には、送信用データと照合用データとが一致しない場合であっても、停止現示を示すための送信信号が送出される。
【図面の簡単な説明】
【図１】本発明の第一の実施形態にかかる地上子の概略構成図である。
【図２】本発明の第二の実施形態にかかる地上子の概略構成図である。
【図３】従来の地上子の概略構成図である。
【符号の説明】
１０，６０　地上子、１２　受信コイル、１４，６２　電源回路、１６，１８絶縁型電源、２０，２２　電文ＲＯＭ、２４　照査回路、２６　切替回路、２８　進行現示リレー、３０　注意現示リレー、３２　正常照査リレー、３４　（Ｇデータの）出力線、３６　（進行現示リレー２８の）ＯＮ接点、３８　（正常照査リレー３２の）ＯＮ接点、４０　（Ｙデータの）出力線、４２　（注意現示リレー３０の）ＯＮ接点、４４　（Ｒデータの）出力線、４６　（進行現示リレー２８の）ＯＦＦ接点、４８　（注意現示リレー３０の）ＯＦＦ接点、５０　変調回路、５２　送信コイル。
【図１】
2004082818.tif 000003
【図２】
2004082818.tif 000004
【図３】
2004082818.tif 000005